(57)【要約】      （修正有）【課題】円形状の開口形成のスコアの引裂きを容易に行うことができ、且つ引裂きに際しては、途中でプルリングの支柱部分が引き千切れてしまうことなく、確実に円形の開口を形成する。【解決手段】開口形成用スコア１０は、開口ライン５０と、開口ライン５０の内側に開始点５２ａを有し、該開始点５２ａから開口ライン５０に接続している引裂き誘導ライン５２とからなり、前記開封部材は、開口ライン５０の近傍に形成されている支柱１３と、支柱１３の上端部に形成されているプルリング１２とからなり、引裂き誘導ライン５２は、開始点５２ａから、支柱１３の開口ライン側の付け根部に沿って且つ該支柱１３を回り込むようにして延びて前記開口ライン５０に連なっており、支柱１３の付け根部を延びている引裂き誘導ライン５２と開口ライン５０との間には、補強用リブ５５が形成されていることを特徴とする。【選択図】  図３
2004359297.tif 000002
【特許請求の範囲】
【請求項１】
容器口部を覆うための頂板部と、該頂板部の下面側に形成された筒状側壁とを有しており、該頂板部には、開口形成用スコアと、該スコアを引裂いて開口を形成するための開封部材が設けられている開口形成用スコア付プラスチックキャップにおいて、
前記開口形成用スコアは、実質上円形の開口ラインと、開口ラインの内側に開始点を有し、該開始点から開口ラインに接続している引裂き誘導ラインとからなり、
前記開封部材は、頂板部の外面において、前記開口ラインの内側であって且つ開口ラインの近傍に形成されている支柱と、該支柱の上端部に形成されているプルリングとからなり、
前記引裂き誘導ラインは、前記開始点から、前記支柱の開口ライン側の付け根部に沿って且つ該支柱を回り込むようにして延びて前記開口ラインに連なっていると共に、
前記支柱の付け根部を延びている引裂き誘導ラインと開口ラインとの間には、補強用リブが形成されていることを特徴とする開口形成用スコア付プラスチックキャップ。
【請求項２】
前記引裂き誘導ラインは、開始点から前記支柱まで直線状に延びている第１のストレートラインと、前記支柱の付け根部に沿って延びている引裂き開始ラインと、引裂き開始ラインから直線状に延びている第２のストレートラインと、第２のストレートラインから前記開始点側に回りこむようにして滑らかに前記開口ラインに連なっている曲率ラインとからなる請求項１に記載のプラスチックキャップ。
【請求項３】
前記頂板部には、引裂き誘導ラインの開始点を囲むようにＶ字型の肉厚部が形成されているとともに、円形の開口ラインの中心と支柱とを結ぶ直線が第１のストレートラインと第２のストレートラインとの間を延びており、第１のストレートラインと該直線とがなす角αは、第２のストレートラインと該直線とがなす角βよりも大きい請求項２に記載のプラスチックキャップ。
【発明の詳細な説明】
【０００１】
【発明の属する技術分野】
本発明は、開口形成用スコア付プラスチックキャップに関するものであり、より詳細には、円形の内容物取り出し用開口を形成するためのスコアが頂板部に形成されているプラスチックキャップに関する。
【０００２】
【従来の技術】
プラスチックキャップは、一般的に、容器口部と係合する筒状側壁と、この筒状側壁の上端に形成され且つ容器口部を覆う頂板部とを有している。また、このようなプラスチックキャップとして、頂板部には、内容物取り出し用の開口を形成するためのスコアが無端状に形成されたものが、キャップを容器口部から取り外すことなく容器内容物の取り出しを行うことができるため、広く使用されている。このスコア付キャップでは、無端状の開口形成用スコアの内側に、スコア引裂き部材が設けられている。スコア引裂き部材は、スコアに近接して設けられている支柱と、該支柱の上端に設けられているプルリングとからなるものであり、該プルリングを引っ張ることにより、上記の無端状スコアを引裂いて内容物取り出し用の開口を形成するようになっている。
【０００３】
ところで、容器内容物が液体などの場合には、スコアの引裂きによって形成される開口の大きさは、さほど制限されないため、無端状の開口形成スコアは、引裂き易さを考慮して、スコア引裂き開始部が尖った形状に形成される場合が多いが、容器内容物が錠剤などの固形物質である場合には、容器からの取り出し易さを考慮して、無端状の開口形成用のスコアは、最も面積が大きく円形に形成されることが好ましい。特に容器口部の径が小径の場合には、内容物取り出し用の開口も必然的に小さくなってしまうため、無端状の開口形成用スコアの形状は、可及的に大きな面積となる円形に形成することが好ましい。
【０００４】
しかしながら、開口形成用の無端状スコアの形状を円形とした場合には、前述したプルリングを引っ張ってのスコア引裂性が低下するため、円形のスコアの内部に引裂き誘導用のスコアを形成することが提案されている（例えば特許文献１参照）。
【０００５】
【特許文献１】
実開平６−７１４６０号公報（図３参照）
【０００６】
【発明が解決しようとする課題】
上記特許文献１では、プルリングにより支柱を引っ張り挙げることにより、該支柱の付け根に沿って延びている引裂き誘導用スコアを引裂いていき、この引裂き誘導用スコアに連なっている円形の開口形成用スコアの引裂きをスムーズに行うになっている。
【０００７】
しかしながら、プルリングの穴の径を大きくするためには、プルリングの支柱は、できるだけ外側に持っていく必要がある。このため、上記特許文献１に記載されている手段では、引裂き誘導用スコアから円形のスコアが引裂かれていく途中で、支柱部分が引き千切れてしまうという不都合を生じ易い。即ち、円形スコアとプルリングの支柱との間の狭い領域が引き千切れてしまい、開口形成用スコアの形状（円形）の半分程度の大きさの開口しか形成されないという不都合が生じるおそれがある。
【０００８】
従って本発明の目的は、実質的に円形状の開口形成のスコアの引裂きを容易に行うことができ、且つ引裂きに際しては開口形成用スコアからの脱線を生じることなく、確実に円形の開口を形成することが可能な開口形成用スコア付プラスチックキャップを提供することにある。
【０００９】
【課題を解決するための手段】
本発明によれば、容器口部を覆うための頂板部と、該頂板部の下面側に形成された筒状側壁とを有しており、該頂板部には、開口形成用スコアと、該スコアを引裂いて開口を形成するための開封部材が設けられている開口形成用スコア付プラスチックキャップにおいて、
前記開口形成用スコアは、実質上円形の開口ラインと、開口ラインの内側に開始点を有し、該開始点から開口ラインに接続している引裂き誘導ラインとからなり、
前記開封部材は、頂板部の外面において、前記開口ラインの内側であって且つ開口ラインの近傍に形成されている支柱と、該支柱の上端部に形成されているプルリングとからなり、
前記引裂き誘導ラインは、前記開始点から、前記支柱の開口ライン側の付け根部に沿って且つ該支柱を回り込むようにして延びて前記開口ラインに連なっていると共に、
前記支柱の付け根部を延びている引裂き誘導ラインと開口ラインとの間には、補強用リブが形成されていることを特徴とする開口形成用スコア付プラスチックキャップが提供される。
【００１０】
即ち、本発明においては、開口形成用スコアにおける円形の開口ラインとプルリングの支柱との間に補強用リブが形成されているため、開口ラインの引裂きに際して、開口ラインから引裂き誘導ライン側への脱線を確実に防止することができる。
【００１１】
本発明においては、
１．前記引裂き誘導ラインは、開始点から前記支柱まで直線状に延びている第１のストレートラインと、前記支柱の付け根部に沿って延びている引裂き開始ラインと、引裂き開始ラインから直線状に延びている第２のストレートラインと、第２のストレートラインから前記開始点側に回りこむようにして滑らかに前記開口ラインに連なっている曲率ラインとからなっていること、
２．前記頂板部には、引裂き誘導ラインの開始点を囲むようにＶ字型の肉厚部が形成されており、円形の開口ラインの中心と支柱とを結ぶ直線が第１のストレートラインと第２のストレートラインとの間を延びており、第１のストレートラインと該直線とがなす角αは、第２のストレートラインと該直線とがなす角βよりも大きいこと、
が好ましい。
【００１２】
【発明の実施の形態】
本発明を、以下、添付図面に基づいて詳細に説明する。
図１は、本発明の開口形成用スコア付プラスチックキャップの一例を示す側断面図であり、
図２は、図１のキャップの上面図であり、
図３は、図１のキャップの要部である開口形成用スコアを拡大して示す平面図である。
【００１３】
図１及び図２を参照して、本発明のプラスチックキャップは、キャップ本体１と上蓋２とから成っており、キャップ本体１は、大まかに言って、頂板部５と、頂板部５の周縁部から垂下している筒状側壁６とから成っている。
【００１４】
頂板部５の内面には、筒状側壁６とは間隔を置いて下方に延びているインナーリング９が形成されている。即ち、このインナーリング９と筒状側壁６との間の空間に容器口部が嵌め込まれてキャップ本体１は、容器口部に装着されるようになっている。
【００１５】
また頂板部５には、内容物取り出し用の開口を形成するためのスコア１０が形成されており、頂板部５の上面側には、スコア破断用のプルリング１２が支柱１３を介して設けられている。即ち、このプルリング１２を引っ張ることにより、スコア１０が破断し、内容物を注ぎ出すための開口が頂板部５に形成されるようになっている。
【００１６】
頂板部５の上面側には、スコア１０を取り囲む様にして、背の低い筒状突起１４が形成されており、頂板部５に形成された開口を介して取り出される内容物は、この筒状突起１４に沿って案内される。また、この筒状突起１４の外側部分には、上蓋２を保持するための周状突起１６が形成されている。
【００１７】
また、キャップ本体１の筒状側壁６の一部は、上端から下方に延びている弧状スリット２０により、内側壁６ａと外側壁６ｂとに分断されており、内側壁６ａと外側壁６ｂとが下端で連なった二重壁構造が形成されている。このような二重壁構造は、容器内容液注出後のキャップ本体１を容器口部から容易に除去するために形成されているものである。
【００１８】
一方、上蓋２は、キャップ本体１の筒状側壁６（特にスリット２０によって形成されている外側壁６ｂ）の上端部分にヒンジ連結されている。このヒンジ連結部は２５で示され、図２から理解されるように、中央の幅広のバンド部２５ａと、その周方向両側部に小幅のバンド部２５ｂ，２５ｂから形成されている。
【００１９】
さらに、上記ヒンジ連結部２５の近傍には、外側壁６ｂに、その上端から下端乃至その近傍に延びている軸方向スコア（図示せず）が形成され、更に、軸方向スコアと対向するように、内側壁６ａにも下端から上方に延びている内側スコア（図示せず）が形成されている。即ち、上蓋２を開栓した状態で下方に引き下ろすことにより、上記軸方向スコアが引裂かれ、外側壁６ｂが破断し、次に上方に引き上げることにより内側壁の軸方向スコアが破断し、キャップ本体１を容器口部８０から容易に取り除くことができるようになっている。
【００２０】
上蓋２は、天板部３２と、天板部３２の周縁から延びているスカート３４とから形成されている。
【００２１】
天板部３２の内面には、シール用の周状突起３６が形成されている。即ち、上蓋２を旋回して閉じたとき、シール用の周状突起３６が前記筒状突起１４の内面に密着し、この密着により、スコア１０を破断しての開口形成後のシール性が確保される。
【００２２】
また、上蓋２のスカート３４の内面下方部分には、凹部３４ａが形成されており、前述した周状突起１６の上端の突部１６ａが、この凹部３４ａと係合することにより、閉じられた上蓋２が安定に保持されるようになっている。
【００２３】
さらに、上蓋２のスカート下端の外面には、ヒンジ連結部２５とは反対側部分に、開封用の鍔部４０が設けられており、この鍔部４０を指で引っ掛けて上蓋２を上方に持ち上げることにより上蓋２の開封を容易に行うことができる。
【００２４】
キャップ本体１の筒状側壁６の外面には、上蓋２を閉じたときに上記の鍔部４０が位置する部分に、滑らかな凹面４５が形成されており、さらにこの凹面４５を取り囲むようにして帯状カバー部材４７が、破断可能な弱化線を介して、筒状側壁６の外面に接続されている。即ち、この帯状カバー部材４７を引き剥がさないと上蓋２を開封することができないようになっている。
【００２５】
本発明においては、図３に示す通り、開口形成用スコア１０は、実質上円形の開口ライン５０と、この円形の開口ライン５０の内側に形成された引裂き誘導ライン５２とから形成されている。
【００２６】
引裂き誘導ライン５２は、開始点５２ａから、プルリング１２の支柱１３の開口ライン５２側の付け根部に沿って且つ支柱１３を回り込むようにして延びて円形の開口ライン５０に連なっている。即ち、この引裂き誘導ライン５２は、開始点５２ａから支柱１３まで直線状に延びている第１のストレートライン５２ｂと、支柱１３の付け根部に沿って延びている引裂き開始ライン５２ｃと、引裂き開始ライン５２ｃから直線状に延びている第２のストレートライン５２ｄと、第２のストレートライン５２ｄから開始点５２ａ側に回りこむようにして滑らかに円形の開口ライン５２に連なっている曲率ライン５２ｅとからなっている。
【００２７】
即ち、プルリング１２を持って支柱１３を引っ張り上げることにより、先ず引裂き誘導ライン５２の引裂きが、引裂き開始ライン５２ｃから始まる。この場合、図３から理解されるように、支柱１３が第１のストレートライン５２ｂと第２のストレートライン５２ｄの間の狭い範囲に挟まれた状態となっているため、比較的小さな力（開封力）で引裂きを開始することができる。
【００２８】
引裂き開始ライン５２ｃからの引裂きは、第２のストレートライン５２ｄに沿って進行し、次いで曲率ライン５２ｅが引裂かれ、曲率ライン５２ｅから円形の開口ライン５０が引裂かれ、頂板部５に円形の開口（内容物取り出し用開口）が形成されるわけである。
【００２９】
本発明においては、頂板部５には、上記の支柱１３と円形の開口ライン５０との間に補強用リブ５５が形成されていることが重要である。即ち、この補強用リブ５５は、支柱１３の付け根部に沿って延びている引裂き開始ライン５２ｃと円形の開口ライン５０との間の狭い領域に形成されており、これにより、円形の開口ライン５０の引裂きに際して、この狭い領域で引き千切れてしまうことを防止することができる。
【００３０】
上記のような補強用リブ５５を設けていない場合には、円形の開口ライン５０から引裂き開始ライン５２ｃへの脱線を防止するためには、支柱１３と円形の開口ライン５０との間に大きな間隔を設けなければならず、従って、口部が小径の容器への適用が困難となってしまう。口部が小径の容器に適用する場合には、プルリング１２の径が小さくなり、プルリング１２をつかみにくくなってしまうからである。しかるに、上記のような補強用リブ５５を設ければ、支柱１３を円形の開口ライン５０の近傍に配置しても引裂きに際して途中で破断してしまうことが確実に防止できるため、口部が小径の容器にも有効に適用することができ、可及的な大きな面積の円形の開口を有効に形成することが可能となる。
【００３１】
また、本発明においては、図３に示されているように、頂板部５には、引裂き誘導ライン５２の開始点５２ａを囲むようにＶ字型の肉厚部６０が形成されていることが好ましい。即ち、支柱１３を引っ張って引裂きを開始したとき、第１のストレートライン５２ｂの引裂きを肉厚部６０によって確実にストップさせることができるからである。
【００３２】
さらに、本発明においては、円形の開口ライン５０の中心Ｏと支柱１３とを結ぶ直線Ｘが第１のストレートライン５２ｂと第２のストレートライン５２ｄとの間を延びており、第１のストレートライン５０ｂと直線Ｘとがなす角αは、第２のストレートライン５２ｄと直線Ｘとがなす角βよりも大きいことが好ましい。即ち、この構成により、支柱１３を引っ張って引裂きを開始したとき、第２のストレートライン５２ｄ側が勢いよく破断し、第１のストレートライン５２ｂ側がゆっくり破断するため、肉厚部６０の存在と相俟って、第１のストレートライン５２ｂの破断が開始点５２ａより進行することがない。
【００３３】
尚、上述した例では、ヒンジキャップを例にとったが、本発明は、かかる態様に限定されるものではなく、上述した形状の開口形成用スコアを引裂いて内容物取り出し用開口を形成するものである限り、上蓋２をキャップ本体１に螺子係合により装着される螺子キャップに本発明を適用することもできる。
【００３４】
上述した本発明のキャップは、各種のプラスチック、例えば、低−、中−または高密度ポリエチレン、線状低密度ポリエチレン、ポリプロピレン、熱可塑性ポリエステル、ポリアミド、スチレン系樹脂、ΑΒＳ樹脂等を用いての射出成形等の一体成形により、容易に製造される。
【００３５】
【発明の効果】
本発明によれば、円形の開口ラインとプルリングの支柱との間に補強用リブを形成することにより、プルリングを持って支柱を引っ張り上げて引き裂き誘導ラインを介して開口ラインを引裂いていくときに、途中で千切れてしまうことを確実に防止することができ、円形の開口ラインを完全に引き裂くことができ、確実に円形の内容物取り出し用開口を形成することができる。
本発明のキャップは、錠剤等の固形物が充填された容器、特に口部径が小径の容器のキャップとして極めて有用である。
【図面の簡単な説明】
【図１】本発明の開口形成用スコア付プラスチックキャップの一例を示す側断面図。
【図２】図１のキャップの上面図。
【図３】図１のキャップの要部である開口形成用スコアを拡大して示す平面図。
【符号の説明】
１：キャップ本体                ２：上蓋
５：頂板部                      ６：筒状側壁
１０：内容物取り出し用の開口形成用スコア
１２：プルリング                １３：支柱
５０：円形の開口ライン          ５２：引裂き誘導ライン５２
５２ａ：開始点                  ５２ｂ：第１のストレートライン
５２ｃ：引き裂き開始ライン      ５２ｄ：第２のストレートライン
５２ｅ：曲率ライン              ５５：補強用リブ
６０：肉厚部
【図１】
2004359297.tif 000003
【図２】
2004359297.tif 000004
【図３】
2004359297.tif 000005